(57)【特許請求の範囲】
【請求項１】
移動無線通信デバイスによる移動無線通信ネットワークデバイスを介して移動無線通信ネットワークにアクセスしようとする試みが失敗した後に、非アクセス層(NAS)信号を前記移動無線通信デバイスに送信するように動作する移動無線通信ネットワークデバイスであって、前記移動無線通信デバイスが当該移動無線通信ネットワークデバイスとの接続の再確立を試みるために(i)既存のNASシグナリング接続、または(ii)新しいNASシグナリング接続のうちのどちらを使用するべきかを示す情報を前記移動無線通信デバイスへの前記NAS信号内に含むように構成されている、移動無線通信ネットワークデバイス。
【請求項２】
接続の再確立は新しいNASシグナリング接続を使用して試みられるべきであることを示している前記情報が、接続の再確立は既存のNASシグナリング接続を使用して試みられるべきであることを示している前記情報の逆として表示される、請求項１に記載の移動無線通信ネットワークデバイス。
【請求項３】
前記移動無線通信デバイスから、前記既存のNASシグナリング接続、または前記新しいNASシグナリング接続のうちの1つを介して接続の再確立を求める要求を受信すると、前記要求を承認して、前記移動無線通信デバイスとの接続を再確立するように動作する、請求項１または２に記載の移動無線通信ネットワークデバイス。
【請求項４】
接続の再確立を試みるために新しいNASシグナリング接続を使用するべきであることを示す情報を含むNAS信号を前記移動無線通信デバイスに送信した後、前記移動無線通信デバイスとの間の前記既存のNASシグナリング接続を解放するように動作する、請求項１から３のいずれか一項に記載の移動無線通信ネットワークデバイス。
【請求項５】
接続の再確立を試みるために既存のNASシグナリング接続を使用するべきであることを示す情報を含むNAS信号を前記移動無線通信デバイスに送信した後、前記移動無線通信デバイスとの間の前記既存のNASシグナリング接続を維持するように動作する、請求項１から４のいずれか一項に記載の移動無線通信ネットワークデバイス。
【請求項６】
前記情報が、前記NAS信号内に少なくとも1つのフラグを含む、請求項１から５のいずれか一項に記載の移動無線通信ネットワークデバイス。
【請求項７】
それぞれの前記少なくとも1つのフラグが前記NAS信号のビットを含む、請求項６に記載の移動無線通信ネットワークデバイス。
【請求項８】
UMTSネットワークおよび/またはLTEネットワーク内で動作可能である、請求項１から７のいずれか一項に記載の移動無線通信ネットワークデバイス。
【請求項９】
移動無線通信デバイスによる移動無線通信ネットワークデバイスを介して移動無線通信ネットワークにアクセスしようとする試みが失敗した後に、移動無線通信ネットワークデバイスから非アクセス層(NAS)信号を受信するように動作する移動無線通信デバイスであって、前記移動無線通信ネットワークデバイスとの接続の再確立を試みるために、(i)既存のNASシグナリング接続、または(ii)新しいNASシグナリング接続のうちのどちらを使用するべきかを示す情報を当該移動無線通信デバイスへの前記NAS信号内で識別するように構成されている、移動無線通信デバイス。
【請求項１０】
接続の再確立は新しいNASシグナリング接続を使用して試みられるべきであることを示す前記情報が、接続の再確立は既存のNASシグナリング接続を使用して試みられるべきであることを示している前記情報の逆として表示される、請求項９に記載の移動無線通信デバイス。
【請求項１１】
前記移動無線通信ネットワークデバイスとの接続の再確立を試みるために、前記既存のNASシグナリング接続、または前記新しいNASシグナリング接続のうちの1つを使用するべきであるという指示を受信すると、前記指示から決定されるように、前記既存のNASシグナリング接続、または前記新しいNASシグナリング接続のうちの1つを介して接続の再確立を求める要求を前記移動無線通信ネットワークデバイスに送信するように動作する、請求項９または１０に記載の移動無線通信デバイス。
【請求項１２】
前記移動無線通信ネットワークデバイスへの接続の再確立が、前記新しいNASシグナリング接続を使用して試みられるべきであると決定すると、前記移動無線通信ネットワークデバイスによる前記既存のNASシグナリング接続の解放を待ち、このような解放が行われると、前記移動無線通信ネットワークデバイスとの新しいNASシグナリング接続を確立するように動作する、請求項９から１１のいずれか一項に記載の移動無線通信デバイス。
【請求項１３】
前記情報が、前記NAS信号内に少なくとも1つのフラグを含む、請求項９から１２のいずれか一項に記載の移動無線通信デバイス。
【請求項１４】
それぞれの前記少なくとも1つのフラグが前記NAS信号のビットを含む、請求項１３に記載の移動無線通信デバイス。
【請求項１５】
UMTSネットワークおよび/またはLTEネットワーク内で動作可能である、請求項９から１４のいずれか一項に記載の移動無線通信デバイス。
【請求項１６】
移動無線通信デバイスによる移動無線通信ネットワークデバイスを介して移動無線通信ネットワークにアクセスしようとする試みが失敗した後に、前記移動無線通信ネットワークデバイスから、非アクセス層(NAS)信号を前記移動無線通信デバイスに送信する方法であって、前記移動無線通信デバイスが前記移動無線通信ネットワークデバイスとの接続の再確立を試みるために、(i)前記移動無線通信デバイスと前記移動無線通信ネットワークデバイスとの間の既存のNASシグナリング接続、または(ii)前記移動無線通信デバイスと前記移動無線通信ネットワークデバイスとの間の新しいNASシグナリング接続のうちのどちらを使用するべきかを示す情報を前記移動無線通信デバイスへの前記NAS信号に追加するステップを含む、方法。
【請求項１７】
接続の再確立は新しいNASシグナリング接続を使用して試みられるべきであることを示している前記情報が、接続の再確立は既存のNASシグナリング接続を使用して試みられるべきであることを示している前記情報の逆として表示される、請求項１６に記載の方法。
【請求項１８】
前記既存のNASシグナリング接続、または前記新しいNASシグナリング接続のうちの1つを介して前記移動無線通信デバイスから接続の再確立を求める要求を受信すると、再確立を求める前記要求を承認して、前記移動無線通信デバイスとの接続を再確立するステップをさらに含む、請求項１６または１７に記載の方法。
【請求項１９】
前記移動無線通信ネットワークデバイスとの接続の再確立を試みるために新しいNASシグナリング接続を使用するべきであることを示す情報を含むNAS信号を前記移動無線通信デバイスに送信した後、前記移動無線通信ネットワークデバイスと前記移動無線通信デバイスとの間の前記既存のNASシグナリング接続を解放するステップを含む、請求項１６から１８のいずれか一項に記載の方法。
【請求項２０】
前記移動無線通信ネットワークデバイスとの接続の再確立を試みるために、既存のNASシグナリング接続を使用するべきであることを示す情報を含むNAS信号を前記移動無線通信デバイスに送信した後、前記移動無線通信ネットワークデバイスと前記移動無線通信デバイスとの間の前記既存のNASシグナリング接続を維持するステップを含む、請求項１６から１８のいずれか一項に記載の方法。
【請求項２１】
前記情報が、前記NAS信号内に少なくとも1つのフラグを含む、請求項１６から２０のいずれか一項に記載の方法。
【請求項２２】
それぞれの前記少なくとも1つのフラグが前記NAS信号のビットを含む、請求項２１に記載の方法。
【請求項２３】
移動無線通信デバイスが移動無線通信ネットワークデバイスを介して移動無線通信ネットワークにアクセスしようとする試みが失敗した後に、前記移動無線通信ネットワークデバイスから、非アクセス層(NAS)信号を前記移動無線通信デバイスで受信する方法であって、前記移動無線通信デバイスが前記移動無線通信ネットワークデバイスとの接続の再確立を試みるために、(i)前記移動無線通信デバイスと前記移動無線通信ネットワークデバイスとの間の既存のNASシグナリング接続、または(ii)前記移動無線通信デバイスと前記移動無線通信ネットワークデバイスとの間の新しいNASシグナリング接続のうちのどちらを使用するべきかを示す情報を前記移動無線通信デバイスへの前記NAS信号内で識別するステップを含む、方法。
【請求項２４】
接続の再確立は新しいNASシグナリング接続を使用して試みられるべきであることを示している前記情報が、接続の再確立は既存のNASシグナリング接続を使用して試みられるべきであることを示している前記情報の逆として表示される、請求項２３に記載の方法。
【請求項２５】
前記移動無線通信ネットワークデバイスとの接続の再確立を試みるために、前記移動無線通信デバイスが、前記既存のNASシグナリング接続、または前記新しいNASシグナリング接続のうちの1つを使用するべきであるという指示を受信すると、前記指示から決定されるように、前記既存のNASシグナリング接続、または前記新しいNASシグナリング接続のうちの1つを介して接続の再確立を求める要求を前記移動無線通信ネットワークデバイスに送信する、請求項２３または２４に記載の方法。
【請求項２６】
前記移動無線通信ネットワークデバイスへの接続の再確立が前記新しいNASシグナリング接続を使用して試みられるべきであることが決定すると、前記移動無線通信ネットワークデバイスによる前記既存のNASシグナリング接続の解放を待って、このような解放が行われると、前記移動無線通信ネットワークデバイスとの新しいNASシグナリング接続を確立するステップをさらに含む、請求項２３から２５のいずれか一項に記載の方法。
【請求項２７】
前記情報が、前記NAS信号内に少なくとも1つのフラグを含む、請求項２３から２６のいずれか一項に記載の方法。
【請求項２８】
それぞれの前記少なくとも1つのフラグが前記NAS信号のビットを含む、請求項２７に記載の方法。
【請求項２９】
移動無線通信ネットワークデバイスが請求項１６から２２のいずれか一項に記載の方法を実行できるようにするための命令を備える、コンピュータプログラム、またはコンピュータ可読媒体。
【請求項３０】
移動無線通信デバイスが請求項２３から２８のいずれか一項に記載の方法を実行できるようにするための命令を備える、コンピュータプログラム、またはコンピュータ可読媒体。
【請求項３１】
請求項２９に記載のコンピュータプログラム、またはコンピュータ可読媒体を含む、移動無線通信デバイス。
【請求項３２】
請求項３０に記載のコンピュータプログラム、またはコンピュータ可読媒体を含む、移動無線通信デバイス。
【請求項３３】
請求項１から８のいずれか一項に記載の移動無線通信ネットワークデバイス、および請求項９から１５のいずれか一項に記載の移動無線通信デバイスを含む移動通信システム。
【発明の詳細な説明】
【技術分野】
【０００１】
本発明は、移動無線通信ネットワークデバイス、移動無線通信デバイス、方法、コンピュータプログラム、コンピュータ可読媒体及び移動通信システムに関する。
【０００２】
本願は、2011年4月6日に出願された英国特許出願第1105854.2号に基づき優先権を主張し、その内容を援用する。
【背景技術】
【０００３】
携帯電話ハンドセットなどの、機能性を与えられた(functionality afforded)移動無線通信デバイスは、第3世代パートナーシッププロトコル(3 GPP)提言および規格を参照することによって次第に定義されてきており、最近は、ロングタームエボリューション(LTE)の継続的改善などの、ユニバーサルモバイルテレコミュニケーションズシステム(UMTS)の継続的改善に集中している。
【０００４】
3GPPネットワークのサービスにアクセスするために、移動無線通信デバイスのユーザ装置(UE)は、ネットワークに登録する必要がある。一旦UEがネットワークに登録されると、アクティブなセッションのUEについてのセッション情報がUEのコンテキスト内に維持される。
【０００５】
場合によっては、コンテキスト内に維持されたアクティブセッションのセッション情報が失われることもあり、修復不能になることもある。これは、たとえばノード間のモビリティのために発生する場合もあり、一定期間にわたってUEからネットワークへの通信がないのでネットワークが暗黙のうちにUEを切り離したために発生する場合もある。これらの例では、UEが、たとえばLTEシステムにおけるトラッキングエリア更新(TAU)要求、またはUMTSシステムにおけるルーティングエリア更新(RAU)要求などの登録要求、あるいはLTEまたはUMTSシステムにおけるサービス要求を使用してネットワークにアクセスしようとすると、ネットワークはUEからの要求を拒否して、UEに具体的な拒否原因を表示する。ネットワークから具体的な拒否原因を表示している信号を受信すると、UEは、ネットワークとの接続の再確立(またはネットワークへの「再接続」)を試みる場合がある。
【０００６】
LTEシステムにおける要求の拒否原因の例は、以下の通りである。
原因#9  -  ネットワークによってUEの識別を得ることができない。
ネットワークが、グローバルな一意の臨時識別子(Globally Unique Temporary Identity;GUTI)、S-臨時モバイル加入識別子(S-Temporary Mobile Subscriber Identity;S-TMSI)、P-TMSIおよびRAI(ルーティングエリア識別子)からUEの識別を得ることができない場合、たとえば、ネットワーク内に一致する識別子/コンテキストがない場合、または受信したメッセージの完全性チェックの失敗が原因でUEの識別を認証できない場合、この発展型パケットシステム移動性管理(EMM)原因がUEに送信される。
原因#10  -  暗黙のうちに切り離された。
たとえば暗黙の切離し時間が終わった後に、ネットワークが暗黙のうちにUEを切り離した場合か、または、たとえば移動性管理エンティティ(MME)の再始動のために、加入に関連するEMMコンテキストデータがMME内に存在しない場合、このEMM原因がUEに送信される。
【０００７】
LTEおよびユニバーサルモバイルテレコミュニケーションズシステム(UMTS)をサポートできるUEでは、UEがまずUMTS下で動作し、次いでLTEに移行する場合がある。このような場合、パケットデータプロトコル(PDP)コンテキストを確立せずにUEがUMTSからLTEに移行すると、ネットワークは、UEがネットワークとの接続(「新規の接続」)を再確立しようとする試みを開始するためのUEからのトラッキングエリア更新要求を拒否する。この新規の接続は、LTEシステムにおいて必要なデフォルトベアラの確立をトリガする。
【０００８】
この場合、要求の拒否原因の例は以下の通りである。
原因#40  -  アクティブなEPSベアラコンテキストがない。
トラッキングエリア更新手順の間に、MMEがアクティブなEPSベアラコンテキストがネットワーク内にないことを検出する場合、このEMM原因がUEに送信される。
【０００９】
上述のように、ネットワークにアクセスする要求に対する拒否をUEが受信すると、拒否理由(すなわち「原因」)がUEに表示される。拒否原因のタイプは、UEによってネットワークに送信された要求に依存する(たとえば、LTEシステムにおけるTAU手順の間の原因#9、#10、または#40、LTEシステムにおけるサービス要求手順の間の原因#9または#10、GSM/UMTSシステムにおけるRAU手順の間の原因#9または#10、あるいはUMTSシステムにおけるサービス要求手順の間の原因#9または#10)。拒否およびその原因の表示を受信すると、UEはネットワークとの再接続を試みるように動作する。
【００１０】
再接続処理は、非アクセス層(NAS)シグナリング接続を使用して行われうる。現在のネットワークシステムの一部には、既存のNASシグナリング接続を使用してUEが再接続処理を実施することが要求される。しかし、他の現在のネットワークシステムには、一旦ネットワークによって既存のNASシグナリング接続が解放されると、新しいNASシグナリング接続を使用してUEが再接続処理を実施することが要求される。また、いくつかの現在のUEは、既存のNASシグナリング接続を再接続処理の一部として再利用し、他のいくつかの現在のUEは、新しいNASシグナリング接続を使用して再接続処理を実施する前に、既存のNASシグナリング接続の解放を待つ。
【００１１】
ネットワークシステムおよびUEが、上述の再接続処理のうちの1つを実施する状況では、UEとネットワークとの間の接続を再確立する際に遅延がある場合がある。遅延が発生しうる状況の特定の例が図1および2に示されており、後により詳細に説明するが、以下で簡単に説明する。
【００１２】
図1は、再接続処理において遅延が発生しうる第1の状況の概略的な処理の流れを示している。この第1の状況では、UEは、既存のNASシグナリング接続を使用して再接続処理を実施するように動作する。したがって、UEがネットワークにアクセスしようとする試みに応答して、ネットワークデバイスから拒否を受信した後、UEは接続の再確立を求める要求をネットワークデバイスに送信する。しかし、ほぼ同時に、ネットワークはNASシグナリング接続を解放する。したがって、再接続処理の間にUEによって送信された、接続の再確立を求める要求は、要求がネットワークデバイスに到着する前にNASシグナリング接続がネットワークデバイスによって解放されるので、ネットワークデバイスによって受信されない。UEはネットワークデバイスからどのような肯定応答も受信していないので、NASシグナリング接続はネットワークデバイスによって解放されたと決定する。このような決定が行われると、UEはタイマーを開始するように動作する。UEは、タイマーで測定したあらかじめ定められた量の時間(たとえば15秒)が経過するまで再接続を延期する。あらかじめ定められた量の時間が経過すると、UEは、ネットワークデバイスとの新しいNASシグナリング接続の確立を開始して、新しいNASシグナリング接続を使用して再接続処理を試みるように動作する。接続の再確立の最初の試みと後続の試みとの間の時間によって、再接続処理に遅延がもたらされる。
【００１３】
図2は、再接続処理において遅延が発生しうる第2の状況の概略的な処理の流れを示している。この第2の状況では、UEは、新しいNASシグナリング接続を使用して再接続処理を実施するように動作する。したがって、UEがネットワークにアクセスしようとする試みに応答して、ネットワークデバイスから拒否を受信した後、UEはネットワークデバイスが既存のNASシグナリング接続を解放するのを待つ(UEは既存のNASシグナリング接続を使用するように動作しないので)。しかし、ネットワークデバイスは、同じ既存のNASシグナリング接続を介して接続の再確立を求める要求を受信するように動作するため、NASシグナリング接続を解放するように構成されない場合がある。既存のNASシグナリング接続は、最終的にUEによってローカルに解放されうる。たとえば、UE内のガードタイマーは、ネットワークデバイスからの拒否がUEによって受信されると開始しうる。あらかじめ定められた量の時間が経過したことをガードタイマーが示すと、UEは、既存のNASシグナリング接続をローカルに解放するように動作する。一旦既存のNASシグナリング接続が解放されると、UEはネットワークデバイスとの新しいNASシグナリング接続を確立するように動作する。次いで、UEは、新しいNASシグナリング接続を使用して再接続処理を試みることができる。この場合もやはり、接続の再確立の最初の試みと後続の試みとの間の時間によって、再接続処理に遅延がもたらされる。
【００１４】
上述の例は、既存のNASシグナリング接続の利用に関して、または別の形で再接続処理の間に存在する異なる実装形態を示している。
【発明の概要】
【発明が解決しようとする課題】
【００１５】
本発明は、知られている処理より優れた利点を提供する再接続処理を提供しようとするものであり、具体的には、このような再接続処理を、知られているデバイスより優れた利点を示す様態で実施するように構成された移動無線通信ネットワークデバイス、および移動無線通信デバイス、ならびに関連する動作方法、コンピュータプログラム、コンピュータ可読媒体及び移動通信システムに関する。
【課題を解決するための手段】
【００１６】
本発明の態様によれば、移動無線通信デバイスによる移動無線通信ネットワークデバイスを介して移動無線通信ネットワークにアクセスしようとする試みが失敗した後に、非アクセス層(NAS)信号を移動無線通信デバイスに送信するように動作する移動無線通信ネットワークデバイスであって、移動無線通信デバイスが移動無線通信ネットワークデバイスとの接続の再確立を試みるために(i)既存のNASシグナリング接続、または(ii)新しいNASシグナリング接続のうちのどちらを使用するべきかを示す情報を移動無線通信デバイスへのNAS信号内に含むように構成されている、移動無線通信ネットワークデバイスが提供される。
【００１７】
本発明は、上述の通り、再接続処理における遅延の減少および/または抑制に役立つ。
【００１８】
任意選択で、接続の再確立は新しいNASシグナリング接続を使用して試みられるべきであることを示す情報は、接続の再確立は既存のNASシグナリング接続を使用して試みられるべきであることを示す情報の逆として表示されうる。
【００１９】
さらに任意選択で、移動無線通信デバイスから、既存のNASシグナリング接続、または新しいNASシグナリング接続のうちの1つを介して接続の再確立を求める要求を受信すると、移動無線通信ネットワークデバイスは、その要求を承認して、移動無線通信デバイスとの接続を再確立するように動作する。
【００２０】
任意選択で、移動無線通信ネットワークデバイスとの接続の再確立を試みるために新しいNASシグナリング接続を使用するべきであることを示す情報を含むNAS信号を移動無線通信デバイスに送信した後、移動無線通信ネットワークデバイスが、移動無線通信ネットワークデバイスと移動無線通信デバイスとの間の既存のNASシグナリング接続を解放するように動作する。
【００２１】
任意選択で、移動無線通信ネットワークデバイスとの接続の再確立を試みるために既存のNASシグナリング接続を使用するべきであることを示す情報を含むNAS信号を移動無線通信デバイスに送信した後、移動無線通信ネットワークデバイスは、移動無線通信ネットワークデバイスと移動無線通信デバイスとの間の既存のNASシグナリング接続を維持するように動作する。
【００２２】
さらに任意選択で、情報はNAS信号内に少なくとも1つのフラグを含むことができ、それぞれの少なくとも1つのフラグは、NAS信号のビットを含みうる。
【００２３】
任意選択で、移動無線通信ネットワークデバイスはUMTSネットワークおよび/またはLTEネットワーク内で動作可能でよい。
【００２４】
本発明の他の態様によれば、移動無線通信デバイスによる移動無線通信ネットワークデバイスを介して移動無線通信ネットワークにアクセスしようとする試みが失敗した後に、移動無線通信ネットワークデバイスから非アクセス層(NAS)信号を受信するように動作する移動無線通信デバイスであって、移動無線通信ネットワークデバイスとの接続の再確立を試みるために(i)既存のNASシグナリング接続、または(ii)新しいNASシグナリング接続のうちのどちらを使用するべきかを示す情報を移動無線通信デバイスへのNAS信号内で識別するように構成されている、移動無線通信デバイスが提供される。
【００２５】
任意選択で、接続の再確立は新しいNASシグナリング接続を使用して試みられるべきであることを示す情報は、接続の再確立は既存のNASシグナリング接続を使用して試みられるべきであることを示す情報の逆として表示されうる。
【００２６】
さらに任意選択で、移動無線通信ネットワークデバイスとの接続の再確立を試みるために、既存のNASシグナリング接続、または新しいNASシグナリング接続のうちの1つを使用するべきであるという指示を受信すると、移動無線通信デバイスは、指示から決定されるように、既存のNASシグナリング接続、または新しいNASシグナリング接続のうちの1つを介して接続の再確立を求める要求を移動無線通信ネットワークデバイスに送信するように動作する。
【００２７】
任意選択で、移動無線通信ネットワークデバイスへの接続の再確立が、新しいNASシグナリング接続を使用して試みられるべきであると決定すると、移動無線通信デバイスは、移動無線通信ネットワークデバイスによる既存のNASシグナリング接続の解放を待ち、このような解放が行われると、移動無線通信ネットワークデバイスとの新しいNASシグナリング接続を確立するように動作する。
【００２８】
さらに任意選択で、情報はNAS信号内に少なくとも1つのフラグを含むことができ、それぞれの少なくとも1つのフラグはNAS信号のビットを含みうる。
【００２９】
任意選択で、移動無線通信デバイスはUMTSネットワークおよび/またはLTEネットワーク内で動作可能でよい。
【００３２】
本発明の他の態様によれば、移動無線通信デバイスによる移動無線通信ネットワークデバイスを介して移動無線通信ネットワークにアクセスしようとする試みが失敗した後に、移動無線通信ネットワークデバイスから、非アクセス層(NAS)信号を移動無線通信デバイスに送信する方法であって、移動無線通信デバイスが移動無線通信ネットワークデバイスとの接続の再確立を試みるために、(i)移動無線通信デバイスと移動無線通信ネットワークデバイスとの間の既存のNASシグナリング接続、または(ii)移動無線通信デバイスと移動無線通信ネットワークデバイスとの間の新しいNASシグナリング接続のうちのどちらを使用するべきかを示す情報を移動無線通信デバイスへのNAS信号に追加するステップを含む方法が提供される。
【００３３】
任意選択で、接続の再確立は新しいNASシグナリング接続を使用して試みられるべきであることを示す情報は、接続の再確立は既存のNASシグナリング接続を使用して試みられるべきであることを示す情報の逆として表示されうる。
【００３４】
本方法は、任意選択で、再確立を求める要求を承認して、既存のNASシグナリング接続、または新しいNASシグナリング接続のうちの1つを介して移動無線通信デバイスから接続の再確立を求める要求を受信すると、移動無線通信デバイスとの接続を再確立するステップをさらに含みうる。
【００３５】
任意選択で、本方法は、移動無線通信ネットワークデバイスとの接続の再確立を試みるために新しいNASシグナリング接続を使用するべきであることを示す情報を含むNAS信号を移動無線通信デバイスに送信した後、移動無線通信ネットワークデバイスと移動無線通信デバイスとの間の既存のNASシグナリング接続を解放するステップを含みうる。
【００３６】
任意選択で、本方法は、移動無線通信ネットワークデバイスとの接続の再確立を試みるために既存のNASシグナリング接続を使用するべきであることを示す情報を含むNAS信号を移動無線通信デバイスに送信した後、移動無線通信ネットワークデバイスと移動無線通信デバイスとの間の既存のNASシグナリング接続を維持するステップを含みうる。
【００３７】
さらに任意選択で、情報はNAS信号内に少なくとも1つのフラグを含みことができ、それぞれの少なくとも1つのフラグは、NAS信号のビットを含みうる。
【００３８】
本発明の他の態様によれば、移動無線通信デバイスによる移動無線通信ネットワークデバイスを介して移動無線通信ネットワークにアクセスしようとする試みが失敗した後に、移動無線通信ネットワークデバイスから非アクセス層(NAS)信号を移動無線通信デバイスで受信する方法であって、移動無線通信デバイスが移動無線通信ネットワークデバイスとの接続の再確立を試みるために、(i)移動無線通信デバイスと移動無線通信ネットワークデバイスとの間の既存のNASシグナリング接続、または(ii)移動無線通信デバイスと移動無線通信ネットワークデバイスとの間の新しいNASシグナリング接続のうちのどちらを使用するべきかを示す情報を移動無線通信デバイスへのNAS信号内で識別するステップを含む方法が提供される。
【００３９】
任意選択で、接続の再確立は新しいNASシグナリング接続を使用して試みられるべきであることを示す情報は、接続の再確立は既存のNASシグナリング接続を使用して試みられるべきであることを示す情報の逆として表示されうる。
【００４０】
任意選択で、移動無線通信ネットワークデバイスとの接続の再確立を試みるために、移動無線通信デバイスは、既存のNASシグナリング接続、または新しいNASシグナリング接続のうちの1つを使用するべきであるという指示を受信すると、指示から決定されるように、既存のNASシグナリング接続、または新しいNASシグナリング接続のうちの1つを介して接続の再確立を求める要求を移動無線通信ネットワークデバイスに送信する。
【００４１】
本方法は、任意選択で、移動無線通信ネットワークデバイスへの接続の再確立が新しいNASシグナリング接続を使用して試みられるべきであることが決定すると、移動無線通信ネットワークデバイスによる既存のNASシグナリング接続の解放を待って、このような解放が行われると、移動無線通信ネットワークデバイスとの新しいNASシグナリング接続を確立するステップをさらに備えうる。
【００４２】
さらに任意選択で、情報はNAS信号内に少なくとも1つのフラグを含むことができ、それぞれの少なくとも1つのフラグは、NAS信号のビットを含みうる。
【００４３】
本発明の他の態様によれば、移動無線通信ネットワークデバイスが上述の方法を実行できるようにするための命令を備える、コンピュータプログラム、またはコンピュータ可読媒体が提供される。
【００４４】
本発明の他の態様によれば、移動無線通信デバイスが上述の方法を実行できるようにするための命令を備える、コンピュータプログラム、またはコンピュータ可読媒体が提供される。
【００４５】
本発明の他の態様によれば、上述のコンピュータプログラム、またはコンピュータ可読媒体を含む、移動無線通信ネットワークデバイスが提供される。
【００４６】
本発明の他の態様によれば、上述のコンピュータプログラム、またはコンピュータ可読媒体を含む、移動無線通信デバイスが提供される。
【００４７】
本発明の他の態様によれば、上述の移動無線通信ネットワークデバイス、および上述の移動無線通信デバイスを含む、移動通信システムが提供される。
【００４８】
本発明の1つまたは複数の実施形態を、ほんの一例として、添付の図面を参照して以下でさらに説明する。
【図面の簡単な説明】
【００４９】
【図１】現在の第1の例において、ユーザ装置(UE)と移動無線通信ネットワークデバイスとの間の接続を再確立するための処理の間の、移動無線通信デバイスUEと、移動無線通信ネットワークデバイスとの間のメッセージおよび/またはデータの流れの概略図である。
【図２】現在の第2の例において、ユーザ装置(UE)と移動無線通信ネットワークデバイスとの間の接続を再確立するための処理の間の、移動無線通信デバイスUEと、移動無線通信ネットワークデバイスとの間のメッセージおよび/またはデータの流れの概略図である。
【図３】本発明の第1の1つまたは複数の実施形態による、ユーザ装置(UE)と移動無線通信ネットワークデバイスとの間の接続を再確立するための処理の間の、移動無線通信デバイスUEと、移動無線通信ネットワークデバイスとの間のメッセージおよび/またはデータの流れの概略図である。
【図４】本発明の第2の1つまたは複数の実施形態による、ユーザ装置(UE)と移動無線通信ネットワークデバイスとの間の接続を再確立するための処理の間の、移動無線通信デバイスUEと、移動無線通信ネットワークデバイスとの間のメッセージおよび/またはデータの流れの概略図である。
【図５】本発明の第1または第2の1つまたは複数の実施形態による、移動無線通信ネットワークデバイスの概略図である。
【図６】本発明の第1または第2の1つまたは複数の実施形態による、移動無線通信ユーザ装置(UE)の概略図である。
【発明を実施するための形態】
【００５０】
たとえばUEが一定期間にわたって休止状態であり、ネットワークデバイスによってネットワークから切り離された場合、UEとネットワークデバイスとの間の接続を再確立するために、再接続処理が必要な場合がある。これは、たとえばノード間のモビリティのために発生する場合もあり、一定期間にわたってUEからネットワークデバイスへの通信がないのでネットワークデバイスが暗黙のうちにUEを切り離したために発生する場合もある。UEがネットワークから切り離されると、ネットワークデバイスに接続要求を送信することによってネットワークへの再接続を開始するように動作する。これは、たとえば、UEがサービス要求またはトラッキングエリア更新(TAU)要求をネットワークデバイスに送信するときに発生する場合がある。
【００５１】
図1は、移動無線通信ユーザ装置(UE)100および移動無線通信ネットワークデバイス102(以下では「ネットワークデバイス」)、ならびに、現在の第1の例において、UEと移動無線通信ネットワークデバイスとの間の接続を再確立するための処理(以下では「再接続処理」)の間のUE100とネットワークデバイス102との間のメッセージおよび/またはデータの流れを概略的に示している。
【００５２】
再接続処理は、UE100からネットワークデバイス102に送信された要求104で始まる。上述の理由で、ネットワークデバイス102はUE100についてのコンテキストを修復できないか、UE100についてのコンテキストを失っており、したがってUE100から受信した要求104を実行できない。ネットワークデバイス102は、拒否106をUE100に送信することによって、要求を実行できないことをUE100に示す。
【００５３】
拒否106は、UMTSにおけるサービス拒否(3GPP TS24.008に記載されるように、原因#9または#10の下に)、LTEにおけるサービス拒否(3GPP TS24.301に記載されるように、原因#9または#10の下に)、LTEにおけるTAU拒否(3GPP TS24.301に記載されるように、原因#9、#10、または#40の下に)、あるいはUMTSにおけるRAU拒否(3GPP TS24.008に記載されるように、原因#9または#10の下に)を備えうる。
【００５４】
UE100は、UE100とネットワークデバイス102との間の既存のNASシグナリング接続を使用して再接続処理を実施するように動作する。したがって、拒否106を受信すると、UE100は、既存のNASシグナリング接続を再接続処理に再利用できると決定して(108)、接続の再確立を求める要求112をネットワークデバイス102に送信する。
【００５５】
しかし、ネットワークデバイス102は、UE100とは別の実装形態を使用して再接続処理を調整するように動作する。この特定の例では、ネットワークデバイス102は、新しいNASシグナリング接続を使用して再接続処理を調整するように動作する。したがって、拒否106をUE100に送信した後、UE100が要求112を送信するべきであることを決定する(108)のとほぼ同時に、ネットワークデバイス102は既存のNASシグナリング接続の解放110を開始する。したがって、既存のNASシグナリング接続を使用してUE100によって送信された、接続の再確立を求める要求112は、要求がネットワークデバイスに到着する前にNASシグナリング接続がネットワークデバイス102によって解放されるので、ネットワークデバイス102によって受信されない。したがって、要求112は失われる(114)。UE100はネットワークデバイス102からどのような肯定応答も受信していないので、最終的に要求112はネットワークデバイス102に到着できなかったと決定する(116)。このような決定が行われると、UE100はタイマーを開始するように動作する。UE100は、タイマーで測定されるあらかじめ定められた量の時間(たとえば15秒)が経過するまで再接続を延期する。あらかじめ定められた量の時間が経過すると、UE100は、ネットワークデバイス102との新しいNASシグナリング接続の確立を開始する(118)。UE100とネットワークデバイス102との間の新しいNASシグナリング接続を確立した後、UE100は、接続の再確立を求める他の要求120をネットワークデバイス102に送信する。
【００５６】
ネットワークデバイス102との接続を再確立するこの試みが成功すると、ネットワークデバイス102は、承認メッセージ122をUE100に送信することによって成功を認める。
【００５７】
この処理には、要求112の送信と要求120の送信との間に遅延126がある。
【００５８】
図2は、移動無線通信ユーザ装置(UE)200および移動無線通信ネットワークデバイス202(以下では「ネットワークデバイス」)、ならびに、現在の第2の例において、UEと移動無線通信ネットワークデバイスとの間の接続を再確立するための処理(以下では「再接続処理」)の間のUE200とネットワークデバイス202との間のメッセージおよび/またはデータの流れを概略的に示している。
【００５９】
再接続処理は、UE200からネットワークデバイス202に送信された、アクセスを求める要求204で始まる。この要求204、およびネットワークデバイス202によってUE200に送信された拒否206は、それぞれ図1に関連して上述した要求104および拒否106に対応する。
【００６０】
UE200は、UE200とネットワークデバイス202との間の新しいNASシグナリング接続を使用して再接続処理を実施するように動作する。したがって、拒否206を受信すると、UE200はネットワークデバイスが既存のNASシグナリング接続を解放するのを待つ(UE200は既存のNASシグナリング接続を使用するように動作しないため)。UE200はガードタイマーも設定する(208)。場合によっては、ネットワークデバイス202は、既存のNASシグナリング接続を解放するように動作しない場合がある(210)。たとえば、ネットワークデバイス202は、同じ既存のNASシグナリング接続を介して接続の再確立を求める要求を受信するように動作しうる。UE200による拒否206の受信からあらかじめ定められた時間内(ガードタイマーによって測定される(212))に解放が発生しない場合、UE200は、既存のNASシグナリング接続をローカルに解放するように動作する(214)。既存のNASシグナリング接続が解放されると、UE200は、ネットワークデバイス202との新しいNASシグナリング接続を確立するように動作する(216)。
【００６１】
UE200とネットワークデバイス202との間の新しいNASシグナリング接続を確立した後、UE200は、接続の再確立を求める他の要求218をネットワークデバイス202に送信する。
【００６２】
ネットワークデバイス202との接続を再確立するこの試みが成功すると、ネットワークデバイス202は、承認メッセージ220をUE100に送信することによって成功を認める。
【００６３】
この場合もやはり、接続の再確立の最初の試みと後続の試みとの間の時間によって、再接続処理に遅延222がもたらされる。
【００６４】
図3は、本発明の第1の1つまたは複数の実施形態による、ユーザ装置(UE)300と移動無線通信ネットワークデバイス302(以下では「ネットワークデバイス」)との間の接続を再確立するための処理の間の、移動無線通信デバイスUE300と、移動無線通信ネットワークデバイス302の間のメッセージおよび/またはデータの流れの概略図である。
【００６５】
再接続処理は、UE300からネットワークデバイス302に送信された、アクセスを求める要求304で始まる。この要求304は、図1および2に関連して上述した要求104および204に対応する。
【００６６】
この場合もやはり、ネットワークデバイス302はUE300についてのコンテキストを修復できない(たとえば、上述の理由のために)か、UE300についてのコンテキストを失っており、したがってUE300から受信した要求304を実行できない。そのため、UE300がネットワークデバイス302を介してネットワークにアクセスしようとする試みは失敗してしまう。ネットワークデバイス302は、拒否306をUE100に送信することによって、要求を実行できないことをUE300に示す。拒否306は、UMTSにおけるサービス拒否(3GPP TS24.008に記載されるように、原因#9または#10の下に)、LTEにおけるサービス拒否(3GPP TS24.301に記載されるように、原因#9または#10の下に)、LTEにおけるTAU拒否(3GPP TS24.301に記載されるように、原因#9、#10、または#40の下に)、あるいはUMTSにおけるRAU拒否(3GPP TS24.008に記載されるように、原因#9または#10の下に)を備えうる。
【００６７】
図示した構成では、拒否306は、ネットワークデバイス302との接続の再確立を試みることができる方法をUE300に示しているネットワークデバイス302からの情報を含むインジケータ308を含む。インジケータ308は、再接続処理に既存のNASシグナリング接続を使用するようにUE300に指示するための情報を含む。
【００６８】
拒否306を受信すると、UE300は、インジケータ308内に含まれる情報を抽出して、再接続処理を試みるべき方法、すなわち例示された構成では、既存のNASシグナリング接続の使用を介する方法を決定するように動作する(310)。
【００６９】
UE300は、一旦既存のNASシグナリング接続を再利用するべきであるという決定を行うと、接続の再確立を求める他の要求312をネットワークデバイス302に送信する。
【００７０】
ネットワークデバイス302との接続を再確立するこの試みが成功すると、ネットワークデバイス302は、承認メッセージ314をUE300に送信することによって成功を認める。
【００７１】
拒否306において、再接続処理を試みるためにUE300に特定の接続を使用させるための情報を含むインジケータ308を提供することにより、たとえば図1および2に示されるような再接続処理における遅延を減少および/または抑制できる。
【００７２】
図4は、本発明の第2の1つまたは複数の実施形態による、ユーザ装置(UE)400と移動無線通信ネットワークデバイス402(以下では「ネットワークデバイス」)との間の接続を再確立するための処理の間の、移動無線通信デバイスUE400と、移動無線通信ネットワークデバイス402との間のメッセージおよび/またはデータの流れの概略図である。
【００７３】
再接続処理は、UE400からネットワークデバイス402に送信された、アクセスを求める要求404で始まる。この要求404は、図1、2、および3に関連して上述した要求104、204、および304に対応する。
【００７４】
この場合もやはり、ネットワークデバイス402はUE400についてのコンテキストを修復できない(たとえば、上述の理由のために)か、UE400についてのコンテキストを失っており、したがってUE400から受信した要求404を実行できない。そのため、UE400がネットワークデバイス402を介してネットワークにアクセスしようとする試みは失敗してしまう。ネットワークデバイス402は、拒否406をUE100に送信することによって、要求を実行できないことをUE400に示す。拒否406は、UMTSにおけるサービス拒否(3GPP TS24.008に記載されるように、原因#9または#10の下に)、LTEにおけるサービス拒否(3GPP TS24.301に記載されるように、原因#9または#10の下に)、LTEにおけるTAU拒否(3GPP TS24.301に記載されるように、原因#9、#10、または#40の下に)、あるいはUMTSにおけるRAU拒否(3GPP TS24.008に記載されるように、原因#9または#10の下に)を備えうる。
【００７５】
図示した構成では、拒否406は、ネットワークデバイス402との接続の再確立を試みることができる方法をUE400に示しているネットワークデバイス402からの情報を含むインジケータ408を含む。インジケータ408は、ネットワークデバイス402による既存のNASシグナリング接続の解放を待つようにUE400に指示するための情報を含む。一旦既存のNASシグナリング接続がネットワークデバイス402によって解放されると、UE400は新しいNASシグナリング接続を確立できるようになり、UE400はこの新しいNASシグナリング接続を介して再接続処理を試みることができる。
【００７６】
拒否406を受信すると、UE400は、インジケータに408内に含まれる情報を抽出して、再接続処理を試みるべき方法、すなわち例示された構成では、ネットワークデバイス402との新しいNASシグナリング接続を確立する前に、既存のNASシグナリング接続の解放を待つための方法を決定するように動作する(410)。
【００７７】
UE400は、ネットワークデバイス402との新しいNASシグナリング接続を確立する前に、一旦既存のNASシグナリング接続の解放を待つべきであるという決定を行うと、ネットワークデバイス402による既存のNASシグナリング接続の解放412を待つ。
【００７８】
既存のNASシグナリング接続が解放されると(412)、UE400は、ネットワーク402との新しいNASシグナリング接続を確立するように動作する(414)。
【００７９】
UE400とネットワークデバイス402との間の新しいNASシグナリング接続を確立した後、UE400は、接続の再確立を求める他の要求416をネットワークデバイス402に送信する。
【００８０】
ネットワークデバイス402との接続を再確立するこの試みが成功すると、ネットワークデバイス402は、承認メッセージ418をUE400に送信することによって成功を認める。
【００８１】
再接続処理における遅延を回避するために、ネットワークデバイス402は、拒否406をUE400に送信した後、すぐに既存のNASシグナリング接続を解放しなければならない。
【００８２】
この場合もやはり、拒否406において、再接続処理を試みるためにUE400に特定の接続を使用させるための情報を含むインジケータ408の提供することにより、たとえば図1および2に示されるような再接続処理における遅延を減少および/または抑制できる。
【００８３】
したがって、いくつかのネットワークデバイスはUEが既存の接続を再利用することを要求し、他のネットワークデバイスはUEが新しい接続を使用することを要求するが、上述の1つまたは複数の実施形態は、図3および4に示されるように、UEが行うように要求されることに関するあらゆる曖昧さを抑制できる。すなわち、UEは既存の接続を使用するように、または新しい接続を使用するように、ネットワークデバイスによって指示される。したがって、たとえば、ネットワークデバイスが既存のNASシグナリング接続を予期せずにUEに解放するときに再接続要求が失われた場合、あるいはUEがネットワークデバイスによる既存のNASシグナリング接続の解放を待つ間、再接続処理におけるレイテンシを減少および/または抑制できる。
【００８４】
図5を参照すると、移動無線通信デバイスユーザ装置(UE)500の概略図がモバイル電話ハンドセットの形式で提供されており、アンテナ502、およびハンドセット内で記憶装置506に機能的に接続された受信部/送信部504、プロセッサ508、ならびにユーザインターフェース510を備える標準無線インターフェースを有する。
【００８５】
図示された実施形態の中では、プロセッサ508は、プロセッサ508が再接続処理を行うための適切な方法を決定できるようにするために、ネットワークデバイスからの拒否において受信された情報をインジケータ(たとえば図3の308、または図4の408)から抽出するために役立つインジケータ抽出機能512を含む。
【００８６】
また、本発明は、たとえば、無線ネットワークコントローラへのインターフェース602、および基地局コントローラ(BSC)を介するGSMネットワークへのインターフェース604とともに構成されたネットワークデバイス600を提供し、ネットワークデバイス600はメモリ606およびプロセッサ608を含み、プロセッサ608は、ネットワークデバイス600からUEに拒否が送信される前に拒否にインジケータ(たとえば図3の308、または図4の408)を追加するためのインジケータ包含機能610を含むことができる。
【００８７】
上述のインジケータを備える情報は、拒否(たとえば図3の306、または図4の406)を含む信号の1つまたは複数のビット内に含まれうる。たとえば、インジケータは拒否を備える信号内にフラグを備えうる。
【００８８】
本発明の上記の1つまたは複数の実施形態は、サービス拒否(原因#9または#10の下に)、またはTAU拒否(原因#9、#10、または#40の下に)、またはRAU拒否(原因#9または#10の下に)を備える様々な拒否タイプを説明しているが、1つまたは複数の実施形態は他の拒否が発行される構成にも適しうる。たとえば、1つまたは複数の実施形態は、ネットワークデバイスが切離し手順(LTEおよび/またはUMTS)を開始した場合に適することができ、ネットワークデバイスからUEへの「切離し」要求は、上述の方法で、および図3または4に示されるように進むようにUEに指示するための情報を含むインジケータを含む。さらに、1つまたは複数の実施形態は、ネットワークデバイスがUEに再接続処理を実行するように要求するどのような場合にも適しうる。
【００８９】
本発明は上記の説明の詳細に限定されず、必要に応じて、任意のNASシグナリングメッセージ、特に位置更新手順の一部として使用される任意のシグナリングメッセージに関連して使用されうることが、当然理解されるべきである。
【産業上の利用可能性】
【００９０】
本発明は、移動無線通信、移動無線通信デバイス、および移動無線通信ネットワークデバイスに関する。本発明による移動無線通信は、ネットワーク接続を確立/維持するためのシグナリングを送受信するために効果的である。
【図１】
0005928478.tif 000002
【図２】
0005928478.tif 000003
【図３】
0005928478.tif 000004
【図４】
0005928478.tif 000005
【図５】
0005928478.tif 000006
【図６】
0005928478.tif 000007